(57)【要約】【課題】高い防水性能を備えたコールスイッチ、を提供する。【解決手段】コールスイッチは、無線によりデータを通信可能な無線部と、内部空間を形成し、内部空間に無線部を収容する内側ケース２１と、内側ケース２１に設けられ、ユーザによる操作時に無線部５６を動作させる押しボタン２６と、内側ケース２１に設けられ、内部空間５７の密閉性を高めるシール部材と、内側ケース２１を収容する外側ケース３１とを備える。【選択図】図７
2020054865.tif 000002
【特許請求の範囲】
【請求項１】
無線によりデータを通信可能な無線部と、
内部空間を形成し、前記内部空間に前記無線部を収容する第１筐体と、
前記第１筐体に設けられ、ユーザによる操作時に前記無線部を動作させる第１操作部と、
前記第１筐体に設けられ、前記内部空間の密閉性を高めるシール部材と、
前記第１筐体を収容する第２筐体とを備え、
前記第１筐体は、第１部分と、前記第１部分と組み合わされ、前記第１部分とともに筐体形状をなす第２部分とを含み、
前記第２筐体は、第３部分と、前記第３部分と組み合わされ、前記第３部分とともに筐体形状をなす第４部分とを含み、
前記第３部分と前記第４部分との境界部は、前記第１部分と前記第２部分との境界部に対向しない位置に設けられる、コールスイッチ。
【請求項２】
前記第３部分と前記第４部分との境界部は、前記第２筐体の外表面および内表面の間で非直線状に延びる断面形状を有する、請求項１に記載のコールスイッチ。
【請求項３】
前記第２筐体には、外部空間と、前記第１筐体を収容する空間との間を連通させる貫通孔が形成される、請求項１または２に記載のコールスイッチ。
【請求項４】
前記貫通孔は、前記第１部分と前記第２部分との境界部と対向しない位置に設けられる、請求項３に記載のコールスイッチ。
【請求項５】
前記第２筐体には、複数の前記貫通孔が形成される、請求項３または４に記載のコールスイッチ。
【請求項６】
前記第２筐体に設けられ、ユーザにより操作されることによって、前記第１操作部を操作させる第２操作部をさらに備え、
前記第２操作部の操作方向に沿った方向から見た場合に、複数の前記貫通孔は、前記第２操作部を挟んだ一方の側と他方の側とに位置して、前記第２筐体の周縁部に形成される、請求項５に記載のコールスイッチ。
【請求項７】
無線によりデータを通信可能な無線部と、
内部空間を形成し、前記内部空間に前記無線部を収容する第１筐体と、
前記第１筐体に設けられ、ユーザによる操作時に前記無線部を動作させる第１操作部と、
前記第１筐体に設けられ、前記内部空間の密閉性を高めるシール部材と、
前記第１筐体を収容する第２筐体と、
前記第２筐体に設けられ、ユーザにより操作されることによって、前記第１操作部を操作させる第２操作部とを備え、
前記第１筐体には、前記第１操作部が配置される第１配置孔が形成され、
前記第２筐体には、前記第２操作部が配置される第２配置孔が形成され、
前記第２操作部と前記第２配置孔の開口縁との境界は、前記第１操作部と前記第１配置孔の開口縁との境界に対向しない位置に設けられる、コールスイッチ。
【請求項８】
前記第２筐体は、第３部分と、前記第３部分と組み合わされ、前記第３部分とともに筐体形状をなす第４部分とを含み、
前記第３部分と前記第４部分との境界部は、前記第２筐体の外表面および内表面の間で非直線状に延びる断面形状を有する、請求項７に記載のコールスイッチ。
【請求項９】
前記第２筐体には、外部空間と、前記第１筐体を収容する空間との間を連通させる貫通孔が形成される、請求項７または８に記載のコールスイッチ。
【請求項１０】
前記第１筐体は、第１部分と、前記第１部分に組み合わされ、前記第１部分とともに筐体形状をなす第２部分とを含み、
前記貫通孔は、前記第１部分と前記第２部分との境界部と対向しない位置に設けられる、請求項９に記載のコールスイッチ。
【請求項１１】
前記第２筐体には、複数の前記貫通孔が形成される、請求項９または１０に記載のコールスイッチ。
【請求項１２】
前記第２操作部の操作方向に沿った方向から見た場合に、複数の前記貫通孔は、前記第２操作部を挟んだ一方の側と他方の側とに位置して、前記第２筐体の周縁部に形成される、請求項１１に記載のコールスイッチ。
【発明の詳細な説明】
【技術分野】
【０００１】
この発明は、コールスイッチに関する。
【背景技術】
【０００２】
従来のコールスイッチに関して、たとえば、特開２００８−１１９２００号公報には、握り押しボタン式子機の胴部を掌で握ることなく操作することを目的とした、握り押しボタン用アタッチメントが開示されている（特許文献１）。
【０００３】
特許文献１に開示された握り押しボタン用アタッチメントは、握り押しボタン式子機に装着され、患者が握り押しボタン式子機の押しボタンを操作することを介助するためのものである。握り押しボタン用アタッチメントは、握り押しボタン式子機の胴部を支持する支持部と、患者が掌や拳により力を加えた場合に折り曲げられた状態となり、握り押しボタン式子機の押しボタンを押圧する操作部とを有する。
【０００４】
また、特開２０１５−１５４０２号公報には、防水性能を十分に確保することを目的とした、操作端末が開示されている（特許文献２）。
【０００５】
特許文献２に開示された操作端末は、互いに組み合わされる第１筐体および第２筐体を有する外装筐体と、外装筐体の内部に収納される回路基板とを備える。第１筐体は、外装筐体内部に向けて窪む第１凹部を有し、第２筐体に組み合わされる第１筐体本体と、第１凹部に嵌合する蓋体とを備える。
【先行技術文献】
【特許文献】
【０００６】
【特許文献１】特開２００８−１１９２００号公報
【特許文献２】特開２０１５−１５４０２号公報
【発明の概要】
【発明が解決しようとする課題】
【０００７】
上述の特許文献１に開示されるように、病院や介護施設等に設置され、病人や老人のアクシデントや患者の緊急コールを、看護師や介護者に通達するためのコールスイッチが知られている。このようなコールスイッチは、場所や時間を問わずにコールを看護師や介護者に通達する必要があるため、病室や居室以外に、浴室や脱衣室、トイレなどにも設置される。
【０００８】
しかしながら、コールスイッチが、たとえば浴室に設置される場合、シャワーや浴槽の水または湯がコールスイッチにかかったり、シャワーを使用してコールスイッチを清掃したりする場合がある。また、コールスイッチが病室や居室に設置される場合であっても、飲み物や薬品等が誤ってコールスイッチにかかる場合がある。このため、コールスイッチには高い防水性能が求められる。
【０００９】
そこでこの発明の目的は、上記の課題を解決することであり、高い防水性能を備えたコールスイッチを提供することである。
【課題を解決するための手段】
【００１０】
この発明の１つの局面に従ったコールスイッチは、無線によりデータを通信可能な無線部と、内部空間を形成し、内部空間に無線部を収容する第１筐体と、第１筐体に設けられ、ユーザによる操作時に無線部を動作させる第１操作部と、第１筐体に設けられ、内部空間の密閉性を高めるシール部材と、第１筐体を収容する第２筐体とを備える。第１筐体は、第１部分と、第１部分と組み合わされ、第１部分とともに筐体形状をなす第２部分とを含む。第２筐体は、第３部分と、第３部分と組み合わされ、第３部分とともに筐体形状をなす第４部分とを含む。第３部分と第４部分との境界部は、第１部分と第２部分との境界部に対向しない位置に設けられる。
【００１１】
この発明のさらに別の局面に従ったコールスイッチは、無線によりデータを通信可能な無線部と、内部空間を形成し、内部空間に無線部を収容する第１筐体と、第１筐体に設けられ、ユーザによる操作時に無線部を動作させる第１操作部と、第１筐体に設けられ、内部空間の密閉性を高めるシール部材と、第１筐体を収容する第２筐体と、第２筐体に設けられ、ユーザにより操作されることによって、第１操作部を操作させる第２操作部とを備える。第１筐体には、第１操作部が配置される第１配置孔が形成される。第２筐体には、第２操作部が配置される第２配置孔が形成される。第２操作部と第２配置孔の開口縁との境界は、第１操作部と第１配置孔の開口縁との境界に対向しない位置に設けられる。
【００１２】
この発明のさらに別の局面に従ったコールスイッチは、無線によりデータを通信可能な無線部と、内部空間を形成し、内部空間に無線部を収容する第１筐体と、第１筐体に設けられ、ユーザによる操作時に無線部を動作させる第１操作部と、第１筐体に設けられ、内部空間の密閉性を高めるシール部材と、第１筐体を収容する第２筐体とを備える。
【００１３】
このように構成されたコールスイッチによれば、シール部材により内部空間の密閉性が高められた第１筐体と、その第１筐体を収容する第２筐体とによって、水等の液体が無線部を収容する第１筐体内に侵入することをより確実に防止できる。これにより、コールスイッチの防水性能を向上させることができる。
【００１４】
また好ましくは、第１筐体は、第１部分と、第１部分と組み合わされ、第１部分とともに筐体形状をなす第２部分とを含む。第２筐体は、第３部分と、第３部分と組み合わされ、第３部分とともに筐体形状をなす第４部分とを含む。第３部分と第４部分との境界部は、第１部分と第２部分との境界部に対向しない位置に設けられる。
【００１５】
このように構成されたコールスイッチによれば、水等の液体の侵入経路として想定される部位を第１筐体および第２筐体の間でずらすことによって、水等の液体が第１筐体内に侵入することをさらに確実に防止できる。
【００１６】
また好ましくは、コールスイッチは、第２筐体に設けられ、ユーザにより操作されることによって、第１操作部を操作させる第２操作部をさらに備える。第１筐体には、第１操作部が配置される第１配置孔が形成される。第２筐体には、第２操作部が配置される第２配置孔が形成される。第２操作部と第２配置孔の開口縁との境界は、第１操作部と第１配置孔の開口縁との境界に対向しない位置に設けられる。
【００１７】
このように構成されたコールスイッチによれば、水等の液体の侵入経路として想定される部位を第１筐体および第２筐体の間でずらすことによって、水等の液体が第１筐体内に侵入することをさらに確実に防止できる。
【００１８】
また好ましくは、第２筐体は、第３部分と、第３部分と組み合わされ、第３部分とともに筐体形状をなす第４部分とを含む。第３部分と第４部分との境界部は、第２筐体の外表面および内表面の間で非直線状に延びる断面形状を有する。
【００１９】
このように構成されたコールスイッチによれば、水等の液体が、第３部分と第４部分との境界部を通じて第２筐体内に侵入することをより確実に防止できる。
【００２０】
また好ましくは、第２筐体には、外部空間と、第１筐体を収容する空間との間を連通させる貫通孔が形成される。
【００２１】
このように構成されたコールスイッチによれば、仮に第２筐体内に水等の液体が侵入することがあっても、その液体を貫通孔を通じて外部空間に排出することができる。これにより、水等の液体が第１筐体内に侵入することをさらに確実に防止できる。
【００２２】
また好ましくは、第１筐体は、第１部分と、第１部分に組み合わされ、第１部分とともに筐体形状をなす第２部分とを含む。貫通孔は、第１部分と第２部分との境界部と対向しない位置に設けられる。
【００２３】
このように構成されたコールスイッチによれば、貫通孔を通じて第２筐体内から水等の液体を外部空間に排出する際に、第２筐体内で液体が第１部分と第２部分との境界部の周りに集まることを抑制できる。
【００２４】
また好ましくは、第２筐体には、複数の貫通孔が形成される。
このように構成されたコールスイッチによれば、水等の液体の侵入に伴って第２筐体内の圧力が高くなることを抑制できる。これにより、コールスイッチの防水性能をさらに向上させることができる。
【００２５】
また好ましくは、コールスイッチは、第２筐体に設けられ、ユーザにより操作されることによって、第１操作部を操作させる第２操作部をさらに備える。第２操作部の操作方向に沿った方向から見た場合に、複数の貫通孔は、第２操作部を挟んだ一方の側と他方の側とに位置して、第２筐体の周縁部に形成される。
【００２６】
このように構成されたコールスイッチによれば、コールスイッチが設置される姿勢にかかわらず、水等の液体を外部空間に排出することができる。
【発明の効果】
【００２７】
以上に説明したように、この発明に従えば、高い防水性能を備えたコールスイッチを提供することができる。
【図面の簡単な説明】
【００２８】
【図１】この発明の実施の形態におけるコールスイッチの外観を示す正面図である。
【図２】図１中の矢印ＩＩに示す方向から見たコールスイッチを示す側面図である。
【図３】図１中のコールスイッチの外部スイッチを部分的に取り除いた状態を示す正面図である。
【図４】図１中のコールスイッチの内部スイッチを示す正面図である。
【図５】図４中の矢印Ｖに示す方向から見た内部スイッチを示す側面図である。
【図６】図４中のＶＩ−ＶＩ線上に沿った内部スイッチを示す断面図である。
【図７】図１中のコールスイッチの内部構造を示すための透視図である。
【図８】図２中のＶＩＩＩ−ＶＩＩＩ線上に沿った外側ケースを示す断面図である。
【図９】図８中に示す外側ケースの変形例を示す断面図である。
【図１０】図２中の矢印Ｘに示す方向から見た外側ケースを示す背面図である。
【発明を実施するための形態】
【００２９】
この発明の実施の形態について、図面を参照して説明する。なお、以下で参照する図面では、同一またはそれに相当する部材には、同じ番号が付されている。
【００３０】
図１は、この発明の実施の形態におけるコールスイッチの外観を示す正面図である。図２は、図１中の矢印ＩＩに示す方向から見たコールスイッチを示す側面図である。図３は、図１中のコールスイッチの外部スイッチを部分的に取り除いた状態を示す正面図である。
【００３１】
図１から図３を参照して、この発明の実施の形態におけるコールスイッチ１０は、病院や介護施設等に設置され、病人や老人のアクシデントや患者の緊急コールを、看護師や介護者に通達するためのものである。
【００３２】
コールスイッチ１０は、内部スイッチ２０および外装スイッチ３０から構成されている。内部スイッチ２０は、無線でデータを送受信可能な無線部５６（図６を参照のこと）を内蔵し、押しボタン２６が押下されることによって、所定の通信を行なう。なお、無線部５６は、データ送信のみ可能なものであってもよい。
【００３３】
内部スイッチ２０は、外装スイッチ３０に収容されている。外装スイッチ３０は、コールスイッチ１０の外観をなしている。外装スイッチ３０は、たとえば、浴室やトイレ等の緊急性の高い場所に、ネジ止めまたは両面テープなどによって固定される。
【００３４】
図４は、図１中のコールスイッチの内部スイッチを示す正面図である。図５は、図４中の矢印Ｖに示す方向から見た内部スイッチを示す側面図である。図６は、図４中のＶＩ−ＶＩ線上に沿った内部スイッチを示す断面図である。
【００３５】
図４から図６を参照して、コールスイッチ１０（内部スイッチ２０）は、第１筐体としての内側ケース２１と、基板５１と、無線部５６と、発光部としてのＬＥＤ２８と、第１操作部としての押しボタン２６とを有する。
【００３６】
内側ケース２１は、筐体形状を有し、その内側に内部空間５７を形成している。内側ケース２１は、図４中に示す平面視において略矩形形状を有する。内側ケース２１は、厚み方向（図５中の矢印１０３に示す方向）の長さがその平面視における矩形形状の２辺の長さよりも小さい薄板形状を有する。
【００３７】
内側ケース２１は、第１部分としての上ケース２２と、第２部分としての下ケース２３とを有する。上ケース２２および下ケース２３は、受け皿形状を有する。上ケース２２および下ケース２３は、内側ケース２１を厚み方向において２分割した形状を有する。上ケース２２および下ケース２３は、互いに組み合わされることによって筐体形状をなしている。
【００３８】
下ケース２３は、係止爪７１を有する。係止爪７１は、爪形状を有し、下ケース２３の周縁部に設けられている。図６中の断面には表れていないが、下ケース２３には、複数の係止爪７１が設けられている。上ケース２２には、引っ掛け孔７２が形成されている。引っ掛け孔７２は、係止爪７１に対応する位置に形成されている。係止爪７１が引っ掛け孔７２に係止されることによって、上ケース２２および下ケース２３が組み合わされた状態が保持されている。
【００３９】
係止爪７１および引っ掛け孔７２は、上ケース２２および下ケース２３が組み合わされた状態を保持する保持機構部として設けられている。なお、下ケース２３に引っ掛け孔７２が形成され、上ケース２２に係止爪７１が設けられてもよい。
【００４０】
基板５１および無線部５６は、内側ケース２１に収容されている。基板５１は、内側ケース２１の内部で、内側ケース２１の厚み方向に直交する平面内で延在するように支持されている。無線部５６は、基板５１に実装されている。基板５１には、無線部５６の他に、コールスイッチ１０の駆動用バッテリーや、無線部５６による通信時に発光するＬＥＤ２８等が実装されている。
【００４１】
押しボタン２６は、内側ケース２１に設けられている。押しボタン２６は、一方向（図５中の矢印１０２に示す方向）から押下されることによって無線部５６を動作させる。内側ケース２１（より具体的には、上ケース２２）には、第１配置孔としてのボタン配置孔２７が形成されている。ボタン配置孔２７は、内側ケース２１をその板厚方向に貫通するように設けられている。押しボタン２６は、ボタン配置孔２７に配置されている。押しボタン２６は、その押下方向に沿ってスライド可能なようにボタン配置孔２７に配置されている。
【００４２】
内側ケース２１（より具体的には、上ケース２２）には、ＬＥＤ配置孔２９が形成されている。ＬＥＤ配置孔２９は、内側ケース２１をその板厚方向に貫通するように設けられている。ＬＥＤ２８は、ＬＥＤ配置孔２９に配置されている。ＬＥＤ２８は、ＬＥＤ配置孔２９を通じて内側ケース２１の外部に露出している。
【００４３】
コールスイッチ１０（内部スイッチ２０）は、シール部材５３と、シール部材５２と、シール部材５４とをさらに有する。シール部材５３、シール部材５２およびシール部材５４は、内側ケース２１に設けられている。シール部材５３、シール部材５２およびシール部材５４によって、内部空間５７の密閉性が高められている。内部空間５７は、シール部材５３、シール部材５２およびシール部材５４によって、略密閉された空間とされている。
【００４４】
より具体的には、シール部材５３は、互いに組み合わされた上ケース２２および下ケース２３の間を封止している。シール部材５３は、環状パッキンである。シール部材５３は、内側ケース２１の外周縁に沿って設けられ、上ケース２２および下ケース２３の間に介挿されている。
【００４５】
シール部材５２は、押しボタン２６が配置されるボタン配置孔２７を封止している。シール部材５２は、内側ケース２１の内部で押しボタン２６を取り囲むように設けられている。シール部材５２は、内側ケース２１（上ケース２２）の内表面と、基板５１との間に介挿されている。
【００４６】
シール部材５４は、ＬＥＤ２８が配置されるＬＥＤ配置孔２９を封止している。シール部材５４は、内側ケース２１の内部でＬＥＤ２８を取り囲むように設けられている。シール部材５４は、内側ケース２１（上ケース２２）の内表面と、基板５１との間に介挿されている。
【００４７】
上ケース２２および下ケース２３が組み合わされるのに伴って、シール部材５３、シール部材５２およびシール部材５４は、内側ケース２１の厚み方向に圧縮変形される。これにより、シール部材５３、シール部材５２およびシール部材５４による内部空間５７の気密性が高められている。
【００４８】
図７は、図１中のコールスイッチの内部構造を示すための透視図である。図１から図７を参照して、コールスイッチ１０（外装スイッチ３０）は、第２筐体としての外側ケース３１と、第２操作部としての押しボタン３６と、導光部としての光路棒３８とを有する。
【００４９】
外側ケース３１は、筐体形状を有し、その内側に内部スイッチ２０を収容している。外側ケース３１は、図１中に示す平面視において略矩形形状を有する。外側ケース３１は、厚み方向（図２中の矢印１０４に示す方向）の長さがその平面視における矩形形状の２辺の長さよりも小さい薄板形状を有する。外側ケース３１の厚み方向と、内側ケース２１の厚み方向とは、一致する。
【００５０】
外側ケース３１は、第３部分としての上ケース３２と、第４部分としての下ケース３３とを有する。上ケース３２および下ケース３３は、受け皿形状を有する。上ケース３２および下ケース３３は、外側ケース３１を厚み方向において２分割した形状を有する。上ケース３２および下ケース３３は、互いに組み合わされることによって筐体形状をなしている。
【００５１】
外側ケース３１内には、内部スイッチ２０の支持機構部としての支持ベース４１および支持柱４２，４３が設けられている。支持ベース４１は、平板形状を有し、下ケース３３の底面に設けられている。支持柱４２，４３は、下ケース３３の底面から上ケース３２に向けて棒状に延出している。内部スイッチ２０は、支持ベース４１に載置され、さらに支持柱４２および支持柱４３の間に挟持されることによって、外側ケース３１内の所定位置に支持されている。
【００５２】
押しボタン３６は、外側ケース３１に設けられている。押しボタン３６は、押しボタン２６の直上に設けられている。押しボタン３６は、一方向（図２中の矢印１０５に示す方向）から押下されることによって、押しボタン２６を押下する。すなわち、コールスイッチ１０のユーザは、押しボタン３６の操作を通じて、外側ケース３１内の押しボタン２６を押下し、無線部５６を動作させることができる。
【００５３】
外側ケース３１（より具体的には、上ケース３２）には、第２配置孔としてのボタン配置孔３７が形成されている。ボタン配置孔３７は、外側ケース３１をその板厚方向に貫通するように設けられている。押しボタン３６は、ボタン配置孔３７に配置されている。押しボタン３６は、その押下方向に沿ってスライド可能なようにボタン配置孔３７に配置されている。
【００５４】
光路棒３８は、外側ケース３１に設けられている。光路棒３８は、外側ケース３１をその板厚方向に貫通するように設けられている。本実施の形態では、光路棒３８が、外側ケース３１に対して熱溶着されている。光路棒３８は、ＬＥＤ２８の直上に設けられている。ＬＥＤ２８で発せられた光は、光路棒３８を通じて外側ケース３１の外部に導かれる。
【００５５】
最も一般的な設置方法として、外装スイッチ３０は、下ケース３３が浴室やトレイ等の壁面に固定され、上ケース３２に設けられた押しボタン３６および光路棒３８が正面を向くように設置される。なお、本実施の形態では、内側ケース２１および外側ケース３１が、略矩形形状の平面視を有する筐体である場合を説明したが、このような構成に限られず、たとえば、円形や長円、多角形等の平面視を有する筐体であってもよい。
【００５６】
以下、浴室やトレイ等の壁面に固定される外側ケース３１（下ケース３３）の表面を「背面」といい、押しボタン３６および光路棒３８が設けられる外側ケース３１（上ケース３２）の表面を「正面」といい、正面および背面の周縁部に沿った外側ケース３１の４つの面を「側面」という。また、外側ケース３１の「背面」、「正面」および「側面」と同じ方向を向く内側ケース２１の表面も、それぞれ、「背面」、「正面」および「側面」という。
【００５７】
たとえば、コールスイッチ１０が浴室に設置される場合を想定すると、この場合、入浴時にコールスイッチ１０にシャワーや浴槽の湯がかかったり、清掃時にシャワーの水がかけられることがある。これに対して、本実施の形態では、コールスイッチ１０が、シール部材５３、シール部材５２およびシール部材５４により内部空間５７が略密閉空間とされた内側ケース２１と、内側ケース２１を収容する外側ケース３１とからなる２重の筐体構造を有するため、湯や水が無線部５６を収容する内側ケース２１内に侵入することを防止できる。これにより、コールスイッチ１０の防水性能を高めることができる。
【００５８】
図７を参照して、内側ケース２１の外表面には、上ケース２２および下ケース２３の境界部６１が現れ、外側ケース３１の外表面には、上ケース３２および下ケース３３の境界部６２が現れている。境界部６１は、内側ケース２１の側面に設けられている。境界部６１は、内側ケース２１の側面を一直線上に延び、周回している。境界部６２は、外側ケース３１の側面に設けられている。境界部６２は、外側ケース３１の側面を一直線上に延び、周回している。
【００５９】
境界部６２は、境界部６１と対向しない位置に設けられている。境界部６２は、境界部６１から内側ケース２１および外側ケース３１の厚み方向にずれた位置に設けられている。境界部６２は、境界部６１から、内側ケース２１および外側ケース３１の厚み方向において外側ケース３１の正面側にずれた位置に設けられている。境界部６２は、境界部６１と平行に延びている。
【００６０】
図３を参照して、内側ケース２１の外表面には、押しボタン２６およびボタン配置孔２７の開口縁の境界部６７が現れ、外側ケース３１の外表面には、押しボタン３６およびボタン配置孔３７の開口縁の境界部６６が現れている。内側ケース２１の外表面には、さらに、ＬＥＤ２８およびＬＥＤ配置孔２９の開口縁の境界部６８が現れている。境界部６７および境界部６８は、内側ケース２１の正面に設けられている。境界部６７および境界部６８は、円形状を有する。境界部６６は、外側ケース３１の正面に設けられている。境界部６６は、円形状を有する。
【００６１】
境界部６６は、境界部６７と対向しない位置に設けられている。円形状を有する境界部６６の内側に、境界部６７が配置されている。境界部６６は、境界部６８と対向しない位置に設けられている。円形状を有する境界部６６の外側に、境界部６８が配置されている。
【００６２】
図３および図７を参照して、外側ケース３１の外表面に現れる境界部６２および境界部６６は、内側ケース２１の外表面に現れる境界部６１、境界部６７および境界部６８のいずれにも対向しない位置に設けられている。
【００６３】
本実施の形態では、内側ケース２１および外側ケース３１の間で、入水ラインとして想定される各種境界部をずらして配置することにより、外側ケース３１内に侵入した水や湯が、直接内側ケース２１の入水ラインに当たることを防止できる。これにより、コールスイッチ１０の防水性能をさらに高めることができる。
【００６４】
なお、本実施の形態では、光路棒３８が外側ケース３１に対して熱溶着されているため、この部位は、外側ケース３１における入水ラインとなり得ない。
【００６５】
図８は、図２中のＶＩＩＩ−ＶＩＩＩ線上に沿った外側ケースを示す断面図である。図８を参照して、外側ケース３１の上ケース３２と下ケース３３との境界部６２は、外側ケース３１の外表面３１ｍおよび内表面３１ｎの間で非直線状に延びる断面形状を有する。より具体的には、境界部６２は、外側ケース３１の外表面３１ｍおよび内表面３１ｎの間でクランク状に曲がって延びる断面形状を有する。
【００６６】
境界部６２は、図８中に示すクランク状に限られず、たとえば、ジグザグ状に折れ曲がって延びる断面形状やミアンダ形状をなす断面形状、湾曲して延びる断面形状を有してもよい。
【００６７】
図９は、図８中に示す外側ケースの変形例を示す断面図である。図９を参照して、本変形例では、境界部６２が、外側ケース３１の外表面３１ｍおよび内表面３１ｎの間で、外表面３１ｍおよび内表面３１ｎに対して斜め方向に交わるように延びる断面形状を有する。
【００６８】
図８および図９中に示す上ケース３２および下ケース３３の組み合わせ構造によれば、外側ケース３１の外表面３１ｍに当たる水や湯が境界部６２を通じて外側ケース３１内に侵入し難くなる。このため、コールスイッチ１０の防水性能をさらに高めることができる。
【００６９】
図１０は、図２中の矢印Ｘに示す方向から見た外側ケースを示す背面図である。図１０を参照して、外側ケース３１には、貫通孔９１〜１００が形成されている。貫通孔９１〜１００は、外部空間と、内部スイッチ２０を収容する外側ケース３１内の空間との間を連通させるように設けられている。貫通孔９１〜１００は、外側ケース３１をその板厚方向に貫通するように設けられている。
【００７０】
このような構成によれば、外側ケース３１内に侵入した湯や水が貫通孔９１〜１００を通じて外部に排出されるため、コールスイッチ１０の防水性能をさらに高めることができる。この際、排水用の孔が複数準備されているため、湯や水の侵入に伴って外側ケース３１内の圧力が高まることを抑制できる。これにより、内部スイッチ２０内への湯や水の侵入をより確実に防ぐことができる。
【００７１】
押しボタン３６の押圧方向に沿った方向から見て（図１０中では、外側ケース３１の背面側から見て）、貫通孔９１〜１００は、押しボタン３６を挟んだ一方の側と他方の側とに位置して、外側ケース３１の周縁部８１に形成されている。
【００７２】
より具体的に説明すると、外側ケース３１（下ケース３３）は、その背面側から見た周縁部８１に、端辺８１ｐ、端辺８１ｑ、端辺８１ｒおよび端辺８１ｓを有する。端辺８１ｐおよび端辺８１ｒは、互いに対向し、端辺８１ｑおよび端辺８１ｓは、互いに対向する。
【００７３】
貫通孔９１は、端辺８１ｐから、端辺８１ｐと端辺８１ｓとの角部に渡って設けられている。貫通孔９２は、端辺８１ｐから、端辺８１ｐと端辺８１ｑとの角部に渡って設けられている。貫通孔９７は、端辺８１ｒに設けられている。貫通孔９６は、端辺８１ｒと端辺８１ｑとの角部に設けられている。貫通孔９８は、端辺８１ｒと端辺８１ｓとの角部に設けられている。
【００７４】
貫通孔９１および貫通孔９２は、押しボタン３６を挟んで一方の側に位置し、貫通孔９６、貫通孔９７および貫通孔９８は、押しボタン３６を挟んで他方の側に位置する。貫通孔９１および貫通孔９６は、外側ケース３１の周縁部８１の対角の位置に設けられている。貫通孔９２および貫通孔９８は、外側ケース３１の周縁部８１の対角の位置に設けられている。
【００７５】
貫通孔９３、貫通孔９４および貫通孔９５は、端辺８１ｑに設けられている。貫通孔９９および貫通孔１００は、端辺８１ｓに設けられている。
【００７６】
貫通孔９３、貫通孔９４および貫通孔９５は、押しボタン３６を挟んで一方の側に位置し、貫通孔９９および貫通孔１００は、押しボタン３６を挟んで他方の側に位置する。
【００７７】
コールスイッチ１０は、既に設置されている手すりや他のスイッチ等との関係性から、必ずしも意図された姿勢で設置されるわけではない。本実施の形態では、貫通孔９１〜１００を外側ケース３１の周縁部８１に沿って設けることにより、コールスイッチ１０の設置姿勢にかかわらず、外側ケース３１内に侵入した湯や水を外部に速やかに排出することが可能となる。
【００７８】
以上に説明した、この発明の実施の形態におけるコールスイッチ１０の構造についてまとめて説明すると、本実施の形態におけるコールスイッチ１０は、無線によりデータを通信可能な無線部５６と、内部空間５７を形成し、内部空間５７に無線部５６を収容する第１筐体としての内側ケース２１と、内側ケース２１に設けられ、ユーザによる操作時に無線部５６を動作させる第１操作部としての押しボタン２６と、内側ケース２１に設けられ、内部空間５７の密閉性を高めるシール部材５２，５３，５４と、内側ケース２１を収容する第２筐体としての外側ケース３１とを備える。
【００７９】
このように構成された、この発明の実施の形態におけるコールスイッチ１０によれば、コールスイッチ１０の防水性能を向上させることができる。
【００８０】
なお、本実施の形態では、無線部を動作させるための操作部が押しボタンである場合を説明したが、このような構成に限られず、たとえば、引きボタンや揺動式のレバー等であってもよい。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８２】
この発明は、主に、病院や介護施設等に設置されるコールスイッチに適用される。
【符号の説明】
【００８３】
１０  コールスイッチ、２０  内部スイッチ、２１  内側ケース、２２，３２  上ケース、２３，３３  下ケース、３１  外側ケース、２６，３６  押しボタン、２７，３７  ボタン配置孔、２９  ＬＥＤ配置孔、３０  外装スイッチ、３１ｍ  外表面、３１ｎ  内表面、３８  光路棒、４１  支持ベース、４２，４３  支持柱、５１  基板、５２，５３，５４  シール部材、５６  無線部、５７  内部空間、６１，６２，６６，６７，６８  境界部、７１  係止爪、７２  引っ掛け孔、８１  周縁部、８１ｐ，８１ｑ，８１ｒ，８１ｓ  端辺、９１，９２，９３，９４，９５，９６，９７，９８，９９，１００  貫通孔。
【図１】
2020054865.tif 000003
【図２】
2020054865.tif 000004
【図３】
2020054865.tif 000005
【図４】
2020054865.tif 000006
【図５】
2020054865.tif 000007
【図６】
2020054865.tif 000008
【図７】
2020054865.tif 000009
【図８】
2020054865.tif 000010
【図９】
2020054865.tif 000011
【図１０】
2020054865.tif 000012
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
内部スイッチと、
外装スイッチとを備え、
前記内部スイッチは、
基板に実装される無線部と、
筐体形状を有し、その内側に前記無線部を収容する内部空間を形成する第１筐体と、
前記第１筐体に設けられ、ユーザによる操作時に前記無線部を動作させる第１操作部とを含み、
前記外装スイッチは、
筐体形状を有し、その内側に前記内部スイッチを収容する内部空間を形成し、コールスイッチの外観をなす第２筐体と、
前記第２筐体に設けられ、ユーザにより操作されることによって、前記第１操作部を操作させる第２操作部とを含む、コールスイッチ。
【請求項２】
前記第１操作部は、押しボタンであり、
前記第２操作部は、ユーザにより押下されることにより前記第１操作部を押下する押しボタンである、請求項１に記載のコールスイッチ。
【請求項３】
前記第２操作部は、前記第１操作部の直上に設けられる、請求項２に記載のコールスイッチ。
【請求項４】
前記第１筐体は、第１部分と、前記第１部分と組み合わされ、前記第１部分とともに筐体形状をなす第２部分とを含む、請求項１から３のいずれか１項に記載のコールスイッチ。
【請求項５】
前記第２筐体は、第３部分と、前記第３部分と組み合わされ、前記第３部分とともに筐体形状をなす第４部分とを含む、請求項１から４のいずれか１項に記載のコールスイッチ。
【手続補正２】
【補正対象書類名】明細書
【補正対象項目名】００１０
【補正方法】変更
【補正の内容】
【００１０】
この発明に従ったコールスイッチは、内部スイッチと、外装スイッチとを備える。内部スイッチは、基板に実装される無線部と、筐体形状を有し、その内側に無線部を収容する内部空間を形成する第１筐体と、第１筐体に設けられ、ユーザによる操作時に無線部を動作させる第１操作部とを含む。外装スイッチは、筐体形状を有し、その内側に内部スイッチを収容する内部空間を形成し、コールスイッチの外観をなす第２筐体と、第２筐体に設けられ、ユーザにより操作されることによって、第１操作部を操作させる第２操作部とを含む。
また好ましくは、第１操作部は、押しボタンである。第２操作部は、ユーザにより押下されることにより第１操作部を押下する押しボタンである。
また好ましくは、第２操作部は、第１操作部の直上に設けられる。
また好ましくは、第１筐体は、第１部分と、第１部分と組み合わされ、第１部分とともに筐体形状をなす第２部分とを含む。
また好ましくは、第２筐体は、第３部分と、第３部分と組み合わされ、第３部分とともに筐体形状をなす第４部分とを含む。
この発明の別の局面に従ったコールスイッチは、無線によりデータを通信可能な無線部と、内部空間を形成し、内部空間に無線部を収容する第１筐体と、第１筐体に設けられ、ユーザによる操作時に無線部を動作させる第１操作部と、第１筐体に設けられ、内部空間の密閉性を高めるシール部材と、第１筐体を収容する第２筐体とを備える。第１筐体は、第１部分と、第１部分と組み合わされ、第１部分とともに筐体形状をなす第２部分とを含む。第２筐体は、第３部分と、第３部分と組み合わされ、第３部分とともに筐体形状をなす第４部分とを含む。第３部分と第４部分との境界部は、第１部分と第２部分との境界部に対向しない位置に設けられる。